(57)【要約】      （修正有）【課題】クリップを再度使用のために書類から取り外すと同時に、クリップを自動的にケース内に収容し、クリップの補填必要を有効に減らすことができるクリップ綴じ具を提供する。【解決手段】クリップ吐出口の左右両側にクリップ開閉部材を設置して、収納したクリップを横向き姿勢でクリップ吐出口から押し出す際に、上下２枚の板バネを弾性的に開くことにより、その板バネ部の間に書類等の端部を差し込んで同板バネ部を閉じらせるクリップ綴じ具において、の後端部に書類などを挟持したクリップを挟んでから引き抜いてケース内に収納するクリップ取り外し／回収口を設け、特に、ケース内に更にクリップを後ろから前へ進めると、挟持口が上方に偏った斜め前向き姿勢から段段と横向き姿勢に変更させる第１の案内手段を設けたことを特徴とする。【選択図】図２
0003137926.tif 000002
【実用新案登録請求の範囲】
【請求項１】
ケースの前端部に設けたクリップ吐出口の左右両側にクリップ開閉部材を設置して、ケース内に収納したクリップをその上下２枚の板バネ部からなっている常時閉の挟持口を先頭にした横向き姿勢でクリップ吐出口から押し出す際に、前記クリップ開閉部材で前記挟持口に挿入して前記上下２枚の板バネ部を弾性的に開くことによりその板バネ部の間に書類等の端部を差し込んでから同板バネを閉じらせることにより書類等の端部をクリップで挟んで綴じるようにしたクリップ綴じ具において、
前記ケースの後端部に書類などを挟持したクリップにおける挟持口側の端縁を上下から引っ掛けてから引き抜いてケース内に収納するクリップ取り外し／回収口を設けたことを特徴とするクリップ綴じ具。
【請求項２】
ケースの前端部に設けたクリップ吐出口の左右両側にクリップ開閉部材を設置して、ケース内に収納したクリップをその上下２枚の板バネ部からなっている常時閉の挟持口を先頭にした横向き姿勢でクリップ吐出口から押し出す際に、前記クリップ開閉部材で前記挟持口に挿入して前記上下２枚の板バネ部を弾性的に開くことによりその板バネの間に書類等の端部を差し込んでから同板バネを閉じらせることにより書類等の端部をクリップで挟んで綴じるようにしたクリップ綴じ具において、
前記ケースの後端部に書類などを挟持したクリップにおける挟持口側の端縁を上下から引っ掛けてから引き抜いてケース内に収納するクリップ取り外し／回収口を設けると共に、前記ケース内にクリップを後ろから前へ進めるとクリップの前記挟持口が上方に偏った斜め前向き姿勢から段段と前記横向き姿勢に変更させる第１の案内手段を設けたことを特徴とするクリップ綴じ具。
【請求項３】
前記ケースを上ケースと下ケースとで構成する上、前記上ケースの後端部を可撓性構成にして下ケースの後端部に対し、書類などを挟持したクリップの挿入により回復的に変形して開口してから、同クリップを挟むことができるようにして前記クリップ取り外し／回収口と設けたことを特徴とする請求項２に記載のクリップ綴じ具。
【請求項４】
前記クリップ取り外し／回収口の口先となる前記上ケースの後端近くと前記下ケースの後端近くとにそれぞれ前記ケース外からケース内へと互いに近づいていて前記クリップの挿入を案内できるカーブ面を形成して合わせて案内口としたことを特徴とする請求項３に記載のクリップ綴じ具。
【請求項５】
前記下ケース内の後端部に、前記クリップ取り外し／回収口で引き抜いたクリップを最後に前記下ケース内に前記挟持口が上方に偏った斜め前向き姿勢になるように案内する第２の案内手段を設けたことを特徴とする請求項４に記載のクリップ綴じ具。
【請求項６】
前記下ケース内の左右両側面に、クリップの前記挟持口の左右両側端縁に設けた耳片を案内する案内レールを下ケースの後端部から前端部へ伸びるように設置する上、下ケース内の底面を後ろから前へと深さが段段と減るようにし、該案内レールと該底面とで前記第１の案内手段を構成したことを特徴とする請求項５に記載のクリップ綴じ具。
【請求項７】
前記案内レールを前記クリップ取り外し／回収口でクリップを挟んだからクリップ吐出口より押し出すまでに前記耳片を係止して案内するように構成し、
また、前記下ケース内の後端部に、前記クリップ取り外し／回収口で引き抜いたクリップにおける前記挟持口の反対側にある後端部を後ろ下方に落ちるように案内するカーブ面を有する案内ブロックを設けて前記第２の案内手段としたことを特徴とする請求項６に記載のクリップ綴じ具。
【請求項８】
前記上ケースの後端部を、前記下ケースの後端部に対し、前記変形開口をする外に、その全体の搖動によりもっと大きく開口することもできる上半部と、前記下ケースと一体になり、且つ、クリップを補填するための上開口を有する上、前記上半部と嵌め合って前記上半部を脱着可能に係止できる下半部とで構成したことを特徴とする請求項７に記載のクリップ綴じ具。
【請求項９】
前記上開口縁にクリップの補填を案内する機構をしたことを特徴とする請求項８に記載のクリップ綴じ具。
【考案の詳細な説明】
【技術分野】
【０００１】
本考案は、クリップを用いて書類等の端部を挟んで綴じるクリップ綴じ具に関する。
【背景技術】
【０００２】
従来の書類等の端部を挟んで綴じるクリップ８は、図８のように、板バネ材をせん裁してから、その頂角が常時閉の挟持口８１となり、該頂角を挟む上、該頂角の対辺より長い二等辺が板バネ部８２、８２となり、また、前記挟持口８１の両側端縁に耳片８１１、８１１がある断面二等辺三角形に折り曲げてなったものがある。このようなクリップ８は、通常、下記のようなクリップ綴じ具を使用して書類等の端部を挟んで綴じる。
【０００３】
即ち、図９乃至図１１に示すように、ケース９０の前端部に設けたクリップ吐出口９１の左右両側にクリップ開閉部材９４を設置して、ケース９０内に収納したクリップ８をその挟持口８１を先頭にした横向き姿勢でクリップ吐出口９１から押し出す際に、図１０に示すように、前記クリップ開閉部材９４で前記挟持口８１に挿入してクリップ８の上下２枚の板バネ部８２、８２を弾性的に開くことによりその板バネ部８２、８２の間に書類等の端部を差し込んでから同板バネ部８２、８２を閉じらせることにより書類等の端部をクリップ８で挟んで綴じるようにしたクリップ綴じ具である。
【０００４】
このようなクリップ綴じ具は、図１１に示すように、ケース９０の内部に、クリップ８を始終横向き姿勢で収容するもの（従来例１）もあれば、特開２００１−２４６８８８号（従来例２）のように、初めに縦向き姿勢で収容し、その後、使用のために、横向き姿勢に変換するものもある。後者はもちろん、同じ容積で前者よりクリップを多く収容できるが、その増加量は限度があり、クリップを頻繁に補填しなければならないという従来からの欠点を解消することができない。
【０００５】
尚、この二種類のクリップ綴じ具は、いずれも、そのケース９０の胴体外表面に書類等を挟持したクリップを再度使用のために書類から取り外して回収する楔部（図１１における９７参照）を付設することができるが、クリップの回収使用は、クリップを不要の書類から取り外すだけでなく、従来例１の方については、クリップ綴じ具のカバー９６を開けてから入れた後、始めて行え（図１１参照）、また、従来例２の方については、ケースの後端開口から逐一に充填しなければならないので、前記クリップの頻繁補填という欠点の解消に対し、なんらの役にも立たない。
【考案の開示】
【考案が解決しようとする課題】
【０００６】
前記従来の欠点を解消するために、本考案は、書類等を挟持したクリップを再度使用のために書類から取り外すと同時に、前記クリップを自動的にケース内に収容し、クリップの補填必要を有効に減らすことができるクリップ綴じ具を提供しようとすることを目的とする。
【課題を解決するための手段】
【０００７】
前記目的を達成するために、本考案は、ケースの前端部に設けたクリップ吐出口の左右両側にクリップ開閉部材を設置して、ケース内に収納したクリップをその上下２枚の板バネからなっている常時閉の挟持口を先頭にした横向き姿勢でクリップ吐出口から押し出す際に、前記クリップ開閉部材で前記挟持口に挿入して前記上下２枚の板バネを弾性的に開くことによりその板バネ部の間に書類等の端部を差し込んでから同板バネ部を閉じらせることにより書類等の端部をクリップで挟んで綴じるようにしたクリップ綴じ具において、前記ケースの後端部に書類などを挟持したクリップにおける挟持口側の端縁を上下から引っ掛けてから引き抜いてケース内に収納するクリップ取り外し／回収口を設けたことを特徴とするクリップ綴じ具を提供し、特に、前記ケース内に更にクリップを後ろから前へ進めると前記挟持口が上方に偏った斜め前向き姿勢から段段と前記横向き姿勢に変更させる第１の案内手段を設けたことを特徴とするクリップ綴じ具を提供する。
【考案の効果】
【０００８】
前記構成のクリップ綴じ具は、ケースの後端部に書類などを挟持したクリップにおける挟持口側の端縁を上下から引っ掛けてから引き抜いてケース内に収納するクリップ取り外し／回収口を設けたので、取り外したクリップを自動的にケース内に収容し、クリップの補填必要を有効に減らすことができる。
【０００９】
また、前記自動的な収容は、回収するクリップを縦向き姿勢で立たせるよりも斜め姿勢で立たせる方が容易であるので、前記ケース内に更に回収したクリップを後ろから前へ進めると前記挟持口が上方に偏った斜め前向き姿勢から段段と前記横向き姿勢に変更させる第１の案内手段を設けた場合、前記クリップの回収から使用までの間の作業を従来より円滑にさせることができる。
【考案を実施するための最良の形態】
【００１０】
以下、添付図面を参照して本考案の好適な実施の形態を詳細に説明する。なお、図中、似ている部品には、同一の参照符号を付する。
【００１１】
まず、図１〜図４を参照しながら本考案の第１の実施形態例のクリップ綴じ具を説明する。
【００１２】
この実施形態のクリップ綴じ具は、従来のクリップ綴じ具と同様に、図１に示すように、ケース１の前端部に設けたクリップ吐出口１１の左右両側にクリップ開閉部材１２、１２を設置して、ケース１内に収納したクリップ２をその上下２枚の板バネ部２２、２２からなっている常時閉の挟持口２１を先頭にした横向き姿勢でクリップ吐出口１１から押し出す際に、クリップ開閉部材１２で挟持口２１に挿入して上下２枚の板バネ部２２、２２を弾性的に開くことによりその板バネ部２２の間に書類等の端部を差し込んでから同板バネ部２２を閉じらせることにより書類等の端部をクリップ２で挟んで綴じるようにしたものであるが、図２に示すように、ケース１の後端部に書類などを挟持したクリップ２を挟んでから引き抜いてケース１内に収納するクリップ取り外し／回収口１３を設けると共に、ケース１内にクリップ２を後ろから前へ進めると挟持口２１が上方に偏った斜め前向き姿勢から段段と前記横向き姿勢に変更させる第１の案内手段３１を設けたものである。もっと詳しく説明すると、本実施形態のクリップ綴じ具は、ケース１を上ケース１４と下ケース１５とで構成する上、上ケース１４の後端部１４１を可撓性構成にして下ケース１５の後端部１５１に対し、書類などを挟持したクリップ２の挿入により回復的に変形して開口してから、同クリップ２を挟むことができるようにして前記クリップ取り外し／回収口１３と設けた。
【００１３】
また、前記クリップ取り外し／回収口１３の口先となる上ケース１４の後端１４１近くと下ケース１５の後端１５１近くとにそれぞれケース１外からケース１内へと互いに近づいていて前記クリップ２の挿入を案内できるカーブ面１４４、１５４を形成して合わせて案内口１３０とした。
【００１４】
なお、上ケース１４の後端部１４１を、下ケース１５の後端部１５１に対し、前記変形開口（図３参照）をする外に、その全体の搖動によりもっと大きく開口する（図１参照）こともできる上半部１４１Ａと、下ケース１５１と一体になり、且つ、クリップ２を補填するための上開口１４２（図２参照）を有する上、上半部１４１Ａと嵌め合って上半部１４１Ａを脱着可能に係止できる下半部１４１Ｂとで構成した。もっと詳しくは、上半部１４１Ａの前端縁１４５を図示のように下半部１４１Ｂに搖動可能に枢止した。即ち、上半部１４１Ａを前端縁１４５を中心として搖動すると、上開口１４２を経由して下半部１４１Ｂにクリップ２を補填できる。
【００１５】
そして、前記下ケース１５内の左右両側面に、クリップ２の前記挟持口２１の左右両側端縁に設けた耳片２１１を案内する案内レール３１１を下ケース１５の後端部１５１から前端部１５２へ伸びるように設置し、クリップ取り外し／回収口１３でクリップ２を挟んだからクリップ吐出口１１より押し出すまでに耳片２１１を係止して案内することができるようにさせる上、下ケース１５内の底面３１２を後ろから前へと深さが段段と減るようにし、該案内レール３１１と該底面３１２とで前記第１の案内手段３１を構成した。
【００１６】
また、下ケース１５内の後端部１５２に、クリップ取り外し／回収口１３で引き抜いたクリップ２を最後に下ケース１５内に挟持口２１が上方に偏った斜め前向き姿勢で立つように案内すべく、前記クリップ２における挟持口２１の反対側にある後端部２３を後ろ下方に落ちるように案内するカーブ面３２１を有する案内ブロックを設けて第２の案内手段３２とした。なお、図示における３３は、前記第２の案内手段３２で前記クリップ２における挟持口２１の反対側にある後端部２３を案内する前に先に引き抜いてケース１内に収納したところのクリップ２の後端部２３を止めて下に落ちさせる止めブロック３３である。
【００１７】
尚、図中における１７は、指でその突出部１７１を押すことによりクリップ２を前方へ移動させるための押し具１７である。
【００１８】
以上のように構成したクリップ綴じ具の使用は、従来のクリップ綴じ具と同様であるので、その詳細説明を省く。以下は、クリップ２の回収に使用する時の方法を中心として説明する。
【００１９】
用紙または書類などを挟持したクリップ２を回収しようとする時、まず、図３に示すように、クリップ取り外し／回収口１３の口先にある案内口１３０を、用紙または書類などを挟持したクリップ２の挟持口２１の反対側にある後端部２３に当ててから力を入れ、クリップ２を案内口１３０の上下２のカーブ面１４４、１５４に沿って押し込みながらクリップ取り外し／回収口１３を変形開口させる。クリップ２が完全にクリップ取り外し／回収口１３の内部に入ると、クリップ取り外し／回収口１３はクリップにおける挟持口側の端縁を上下から引っ掛けるので、その時クリップ綴じ具を引っ張ってクリップ２を取り外すことができる。クリップ綴じ具を引っ張る時、クリップ綴じ具全体をそのクリップ吐出口１１の方が下にありクリップ取り外し／回収口１３の方が上にあるように斜めにする。このように取り外したところのクリップ２は、図４をも参照するように、その挟持口２１の両側端縁にある耳片２１１が案内レール３１１に支持されながらその自重でも前へ移動するように案内されるが、その挟持口２１の反対側にある後端部２３が支持されないまま止めブロック３３に当たるので、後端部２３の方が下へ落ちてから第２の案内手段３２のカーブ面３２１に案内されて最後に下ケース１５の後端部１５１内に前記挟持口２１が上方に偏った斜め前向き姿勢になる（図４における２Ａ参照）。前記の斜め状態でクリップ２をその自重で更に前進させると、クリップ２は第２の案内手段３２を乗り越えて（図４における２Ｂ、２Ｃ参照）から、下ケース１５の後端部１５１から前端部１５２へ伸びるように設置した案内レール３１１と、その深さが後ろから前へと段段と減っている底面３１２とからなっている第１の案内手段３１に入ってそれに案内されて進むので、挟持口２１が上方に偏った斜め前向き姿勢（図２及び図４における２Ｃ参照）から段段と横向き姿勢（図２における２Ｄ参照）に変更し、使用に備える。
【００２０】
即ち、本実施形態のクリップ綴じ具は、ケースの後端部に書類などを挟持したクリップにおける挟持口側の端縁を上下から引っ掛けてから引き抜いてケース内に収納するクリップ取り外し／回収口を設けたので、取り外したクリップを自動的にケース内に収容し、クリップの補填必要を有効に減らすことができる。
【００２１】
また、前記自動的な収容は、回収するクリップを縦向き姿勢で立たせるよりも斜め姿勢で立たせる方（図２及び図４における２Ｃ参照）が容易であるので、前記ケース内に更に回収したクリップを後ろから前へ進めると前記挟持口が上方に偏った斜め前向き姿勢から段段と前記横向き姿勢に変更させる第１の案内手段を設けた場合、前記クリップの回収から使用までの間の作業を従来より円滑にさせることができる。
【００２２】
次に、図５〜図７を参照しながら本考案の第２の実施形態例のクリップ綴じ具を説明する。
【００２３】
この実施形態例は、根本的に第１の実施形態例と同じであり、即ち、上ケース１４の後端部１４１を、下ケース１５の後端部１５１に対し、前記変形開口をする外に、その全体の搖動によりもっと大きく開口することもできる上半部１４１Ａと、下ケース１５１と一体になり、且つ、クリップ２を補填するための上開口１４２（図５参照）を有する上、上半部１４１Ａと嵌め合って上半部１４１Ａを脱着可能に係止できる下半部１４１Ｂとで構成したが、下半部１４１Ｂの上開口１４２縁に更にクリップ２の補填を案内する機構１４３を設けた。それにより、クリップ２の補填がもっと便利になる。
【００２４】
本考案は、その精神及び必須の特徴事項から逸脱することなく他のやり方で実施することができる。従って、本明細書に記載した好ましい実施例は例示的なものであり、限定的なものではない。
【産業上の利用可能性】
【００２５】
叙上のように、本考案によるクリップ綴じ具は、ケースの後端部に書類などを挟持したクリップを挟んでから引き抜いてケース内に収納するクリップ取り外し／回収口を設けたので、取り外したクリップを自動的にケース内に収容し、クリップの補填必要を有効に減らすことができる。
【００２６】
また、前記自動的な収容は、回収するクリップを縦向き姿勢で立たせるよりも斜め姿勢で立たせる方が容易であるので、前記ケース内に更に回収したクリップを後ろから前へ進めると前記挟持口が上方に偏った斜め前向き姿勢から段段と前記横向き姿勢に変更させる第１の案内手段を設けた場合、前記クリップの回収から使用までの間の作業を従来より円滑にさせることができる。
【図面の簡単な説明】
【００２７】
【図１】第１の実施形態例の斜視図である。
【図２】第１の実施形態例の使用する際の断面図である。
【図３】第１の実施形態例の回収する際の断面図である。
【図４】第１の実施形態例の回収した際の断面図である。
【図５】第２の実施形態例の斜視図である。
【図６】第２の実施形態例の補填する際の断面図である。
【図７】第２の実施形態例の回収した際の断面図である。
【図８】従来例１に係るクリップの斜視図である。
【図９】従来例１に係るクリップ綴じ具の斜視図である。
【図１０】従来例１に係るクリップ綴じ具の使用する際の断面図である。
【図１１】従来例１に係るクリップ綴じ具の補填する際の断面図である。
【符号の説明】
【００２８】
１        ケース
１１      クリップ吐出口
１２      クリップ開閉部材
１３      クリップ取り外し／回収口
１３０    案内口
１４      上ケース
１４１    上ケースの後端部
１４１Ａ  上半部
１４１Ｂ  下半部
１４２    上開口
１４３    案内する機構
１４４、１５４  案内口のカーブ面
１４５    上半部の前端縁
１５      下ケース
１５１    下ケースの後端部
１７      押し具
１７１    突出部
２        クリップ
２１      挟持口
２１１    耳片
２２      板バネ部
２３      クリップの後端部
２Ａ、２Ｃ  斜め前向き姿勢
２Ｂ      乗り越え姿勢
２Ｄ      横向き姿勢
３１      第１の案内手段
３１１    案内レール
３１２    底面
３２１    第２の案内手段のカーブ面
３２      第２の案内手段…
３３      止めブロック
【図１】
0003137926.tif 000003
【図２】
0003137926.tif 000004
【図３】
0003137926.tif 000005
【図４】
0003137926.tif 000006
【図５】
0003137926.tif 000007
【図６】
0003137926.tif 000008
【図７】
0003137926.tif 000009
【図８】
0003137926.tif 000010
【図９】
0003137926.tif 000011
【図１０】
0003137926.tif 000012
【図１１】
0003137926.tif 000013